(57)【要約】【課題】  押し出し成型フレームを構成するフレーム部材に平行して配設された複数のリブにより挟持された螺子による螺着強度を向上させる手段の提供。【解決手段】  中空の四角柱、または三角柱のいずれかの面に該角柱の軸と平行なスリット開口部を配設し、且つ、該スリット開口部配設面の対向面、または隣接面に螺子孔を穿設した別体の嵌合金具を、樹脂材料、または金属材料の押し出し成型フレーム部材の内周部に形成した断面Ｔ字型リブに挿嵌し、該フレーム部材、および該嵌合金具を一体に係合し、該嵌合金具に締結物を螺着する。【選択図】  図３
2006343439.tif 000002
【特許請求の範囲】
【請求項１】
樹脂材料、または金属材料の押し出し成型フレームにおいて、該押し出し成型フレームを構成するフレーム部材に断面Ｔ字型リブを一体に形成すると共に、該Ｔ字型リブに嵌め込み可能な嵌合金具を配設したことを特徴とした押し出し成型フレーム。
【請求項２】
請求項１に記載の嵌合金具を、その形状を中空の四角柱に形成し、該四角柱のいずれかの側面に柱軸と平行して断面Ｔ字型リブを挿嵌可能とするスリット開口部を配設すると共に、該スリット開口部配設面の対向面に対象物を支持するタブを支えるための螺子が挿入可能な螺子孔を穿設して形成したことを特徴とした押し出し成型フレーム。
【請求項３】
請求項１に記載の嵌合金具を、その形状を中空の四角柱に形成し、該四角柱のいずれかの側面に柱軸と平行して断面Ｔ字型リブを挿嵌可能とするスリット開口部を配設すると共に、該スリット開口部配設面の隣接する少なくとも一つの面に対象物を支持するタブを支えるための螺子が挿入可能な螺子孔を穿設して形成したことを特徴とした押し出し成型フレーム。
【請求項４】
請求項１に記載の嵌合金具を、その形状を中空の三角柱に形成し、該三角柱のいずれかの側面に柱軸と平行して断面Ｔ字型リブを挿嵌可能とするスリット開口部を配設すると共に、該スリット開口部配設面の隣接する少なくとも一つの面に対象物を支持するタブを支えるための螺子が挿入可能な螺子孔を穿設して形成したことを特徴とした押し出し成型フレーム。
【発明の詳細な説明】
【技術分野】
【０００１】
本発明は、液晶表示パネルやプラズマディスプレイパネルなどを表示素子とする薄型テレビや薄型表示装置における表示画面の前面周辺部、および周辺側部を覆う額縁状のエスカッション（以下、フレームと言う）の構造に関し、詳しくは、該フレームを構成する各辺を金属材料、または樹脂材料の押し出し成型加工により形成した部材の断面形状に関する。
【背景技術】
【０００２】
近時、液晶表示パネルやプラズマディスプレイパネルなどを表示素子とする薄型テレビや薄型表示装置の表示画面の大型化が急速に進展し、画面の対角長が１００ｃｍを越える製品も多い。該大型表示画面の前面周辺部、および周辺側部を覆うフレームを熱可塑性樹脂材料の射出成型、または金属材料のダイキャスト加工により形成するには、大型の金型を必要とし、金型製作費用として高額の初期投資が製品のコスト要因となる。このため、フレームの構成部材を押し出し成型加工により、直状の長尺物として形成し、該長尺物の部材を必要な長さに切断したフレーム部材を、フレームの各コーナーで当接させ、枠状のフレームとして組み立てる手段が広く適用されている。
【０００３】
前記従来技術の例につき、以下、図５に基づき、押し出し成型フレームを構成するフレーム部材３１への液晶表示パネルユニット６の取り付け構造を説明する。図５（ａ）中の３１は、押し出し成型フレームを構成するフレーム部材の断面を示し、該フレーム部材３１周辺の内側には第１のリブ３２，及び第２のリブ３３が溝部３４を隔て、押し出し成型加工により平行に配設されている。一方、液晶表示パネルユニット６の周辺部には、該液晶表示パネルユニット取り付けタブ３６が一体に形成されている。
【０００４】
液晶表示パネルユニット６をフレーム部材３１に取り付けるには、図５（ａ）中に鎖線Ｃ−Ｃで示す切断線に沿って切断した横断面図である図５（ｂ）に示すごとく、液晶表示パネルユニットの周辺部の液晶表示パネルユニット取り付けタブ３６に穿設された螺子挿通孔３６ａにセルフタッピング螺子の螺子軸部３５ｂを挿通し、フレーム部材周辺の内側に配設された第１のリブ３２、および第２のリブ３３間の溝部３４に該セルフタッピング螺子３５を締め込み、液晶表示パネルユニット取り付けタブ３６を螺着する。尚、同様にアルミニウム合金の押出し成形材に垂下壁部を設け、垂下壁部の溝にコーナー金具を螺子固定する技術として特許文献１も開示されている。
【特許文献１】特開２００４−３３３０４５号公報
【発明の開示】
【発明が解決しようとする課題】
【０００５】
図５に示す従来例のフレーム部材３１への液晶パネルユニット６の取り付け構造では、図５（ａ）に示す第１のリブ３２、および第２のリブ３３間の溝部３４にセルフタッピング螺子３５が、嵌入されるため、該第１のリブ３２、および該第２のリブ３３が押し広げられ、螺子の螺着強度が低下する。また、対向するリブ間の内壁面により挟持されたセルフタッピング螺子３５の螺子軸部３５ｂ周辺の一部のみが、該第１のリブ３２、および該第２のリブ３３の内壁面と部分的に当接しているため、セルフタッピング螺子３５は十分な螺着強度を発揮することが出来ない。さらには、該セルフタッピング螺子３５を過度に締め込むことにより、該セルフタッピング螺子３５の螺子山が、該第１のリブ３２、および該第２のリブ３３の内壁面を削り取ることがあり、この場合には、該セルフタッピング螺子３５は螺着機能を喪失し、フレーム部材３１が使用不能となり、該フレーム部材３１を廃棄することになり、経済的損失が大きくなる問題を有していた。
【０００６】
上記問題の改善ため、フレーム部材３１に一体に形成された第１のリブ３２、および第２のリブ３３の肉厚を厚くした場合、該リブがフレーム部材３１の本体から立ち上がる部位における材料分布が、他の部位に比し、密となる偏肉のため、押し出し成型直後の材料溶融状態から固化に至る冷却過程において材料の体積収縮に起因する「ヒケ」（凹痕）が発生する。該従例のフレーム部材３１においては、「ヒケ」は材料密度の高い部位の反対面であるフレーム部材３１の外表面側に線条痕として現出し、著しく外観の品位を損なう原因となっていた。
【課題を解決するための手段】
【０００７】
樹脂材料、または金属材料の押し出し成型フレームを構成するフレーム部材の内周部に、断面Ｔ字型リブを一体に形成すると共に、該Ｔ字型リブに嵌め込み可能な嵌合金具を配設する。
【０００８】
上記嵌合金具を、その形状を中空の四角柱に形成し、該四角柱のいずれかの側面に柱軸と平行して断面Ｔ字型リブを挿嵌可能とするスリット開口部を配設すると共に、該スリット開口部配設面の対向面に対象物を支持するタブを支えるための螺子が挿入可能な螺子孔を穿設して形成する。
【０００９】
上記嵌合金具を、その形状を中空の四角柱に形成し、該四角柱のいずれかの側面に柱軸と平行して断面Ｔ字型リブを挿嵌可能とするスリット開口部を配設すると共に、該スリット開口部配設面の隣接する少なくとも一つの面に対象物を支持するタブを支えるための螺子が挿入可能な螺子孔を穿設して形成する。
【００１０】
上記嵌合金具を、その形状を中空の三角柱に形成し、該三角柱のいずれかの側面に柱軸と平行して断面Ｔ字型リブを挿嵌可能とするスリット開口部を配設すると共に、該スリット開口部配設面の隣接する少なくとも一つの面に対象物を支持するタブを支えるための螺子が挿入可能な螺子孔を穿設して形成する。
【発明の効果】
【００１１】
中空の四角柱のいずれかの面に該四角柱の軸と平行なスリット開口部を配設し、且つ、該スリット開口部配設面を含まないいずれかの面に螺子孔を穿設した別体の嵌合金具を、フレーム部材の内周部に一体に形成した断面Ｔ字型のリブに挿嵌し、該螺子孔に液晶パネルユニットを螺着することにより、フレーム部材の外表面に偏肉に起因する「ヒケ」を現出させることなく、螺着強度の向上、および信頼性の改善が可能となる。
【００１２】
従来例の複数の平行するリブ構造を有するフレーム部材に、セルフタッピング螺子が過度に締め込まれた場合、該リブ間の内壁面の螺子山が削り取られ、結果としてフレーム部材を廃棄することになり経済的損失が大きかったが、本発明によれば、螺着強度が高く、過度な締め込みの発生懸念は少ないが、たとえ、断面Ｔ字型リブと嵌合した嵌合金具に穿設された螺子孔の螺子山が削り取られた場合においても、該嵌合金具のみの廃棄にとどまり、より高価なフレーム部材は引き続き使用することが可能で、経済的である。
【発明を実施するための最良の形態】
【００１３】
以下、図に基づき、本発明の第１の実施形態を液晶テレビに適用した場合に関し、説明する。図１は液晶テレビの概要を示し、図１（ａ）は液晶テレビの正面図、図１（ｂ）は天面図、図１（ｃ）は液晶テレビ内に組み込まれた液晶表示パネルユニット６の斜視図である。図１（ａ）、および図１（ｂ）において、５は液晶表示パネル、４はスタンド、３はスピーカユニット、１１は断面Ｔ字型に押し出し成型されたフレーム部材１１ｂを、フレーム部材当接部１１ｃで突き合わせ形成した押し出し成型フレームである。
【００１４】
図１（ｃ）は液晶テレビ内に組み込まれた液晶表示パネルユニット６の斜視図である。２枚のガラス板の周辺部を貼着し、該ガラス板の対向面内に液晶材料を充填した液晶表示パネル５の周辺部は、液晶表示パネル保持金具２により保持され、さらに、該液晶表示パネル保持金具２の外縁には、螺子挿通孔３６ａが穿設された液晶表示パネル取り付けタブ３６が取り付けられている。
【００１５】
図２は本発明の第１の実施例を示し、押し出し成型フレームを構成するフレーム部材１１ｂの斜視図である。該フレーム部材１１ｂは図５に示す従来技術によるフレーム部材３１の一部を形成する第１のリブ３２、および第２のリブ３３を、図２に示す断面Ｔ字型リブ１１ａに置換している。
【００１６】
図３（ａ）は、本発明に係わる断面Ｔ字型リブ１１ａを具備したフレーム部材１１ｂ、および嵌合金具１２の斜視図である。該嵌合金具１２の端部を該フレーム部材１１ｂの該断面Ｔ字型リブ１１ａの端部形状に合わせ、図３（ａ）中に示す矢印「Ｂ」方向に挿嵌する。該断面Ｔ字型リブ１１ａに該嵌合金具１２を挿嵌することにより、図３（ｂ）に示すごとく、該嵌合金具１２の一部を形成する複数の嵌合金具引っ掛け部１２ｂが、フレーム部材１１ｂと一体に成型された断面Ｔ字型リブ１１ａの頭部に掛止され、フレーム部材１１ｂ、および嵌合金具１２は一体に係合される。
【００１７】
次に、本発明を液晶テレビに適用した場合の実施例について、フレーム部材１１ｂに液晶表示パネルユニット６を取り付ける手順を、図４に基づき説明する。図４（ａ）は図１中に鎖線Ａ−Ａで示す切断線に沿って切断した縦断面図である。押し出し成型フレームを構成するフレーム部材１１ｂと一体に成型された断面Ｔ字型リブ１１ａには、嵌合金具１２が挿嵌され、該フレーム部材１１ｂ、および嵌合金具１２は一体に係合されている。液晶表示パネルユニット６の周辺に配設された液晶表示パネル取り付けタブ３６には、螺子挿通孔３６ａが穿接されており、該螺子挿通孔３６ａにはセルフタッピング螺子３５が挿通され、嵌合金具１２の螺子孔１２ｃに螺着される。従って、液晶表示パネルユニット６は、液晶表示パネル取り付けタブ３６、嵌合金具１２、および断面Ｔ字型リブ１１ａを介し、フレーム部材１１ｂに螺着される。
【００１８】
図４（ａ）において、仮に、嵌合金具１２をフレーム部材１１ｂと別体の部品とせず、嵌合金具１２に相当する部分をフレーム部材１１ｂと共に一体で押し出し成型加工をすれば、嵌合金具１２に相当する部分が立ち上がるフレーム部材１１ｂの部位は、他の部位に比し、材料分布が密となる偏肉のため、押し出し成型直後の材料溶融状態から固化に至る冷却過程において材料の体積収縮に起因する「ヒケ」（凹痕）が発生する。即ち、嵌合金具１２に相当する部分をフレーム部材１１ｂと共に一体で押し出し成型加工をすれば、「ヒケ」は材料密度の高い部分のフレーム部材１１ｂの外表面側に線条痕として現出し、著しく外観の品位を損なう。
【００１９】
次に本発明の第２の実施例を図４（ｂ）に基づき説明する。前述の理由から、十分な高さのリブをフレーム部材と共に同時成型することは、材料の偏肉に起因する「ヒケ」発生の原因となり制約されるため、液晶パネルユニット６の前後方向からセルフタッピング螺子３５により、該液晶パネルユニット６をフレーム部材に取り付けることは不可能であった。しかしながら、中空の四角柱のいずれかの面に該四角柱の軸と平行なスリット開口部１２ａを配設し、且つ、該スリット開口部１２ａの配設面に隣接する少なくとも一の面に第２の螺子孔１２ｄを穿設した嵌合金具１２を、フレーム部材１１ｂの内周部に形成した断面Ｔ字型リブ１１ａに挿嵌することにより、図４（ｂ）に示すごとく、直角に折り曲げられたＬ字型取り付けブラケット１３を介し、該液晶パネルユニット６をフレーム部材１１ｂに取り付けることが可能となり、取り付け作業性の向上を図ることが可能となる。
【００２０】
さらに、本発明の第３の実施例につき、図５（ｃ）に基づき説明する。フレーム部材２１ｂの内周部には断面Ｔ字型リブ２１ａが、該フレーム部材２１ｂと共に一体成型されている。該断面Ｔ字型リブ２１ａに挿嵌される嵌合金具２２の断面三角柱とし、いずれかの面に三角柱の軸と平行なスリット開口部２２ａが形成され、該スリット開口部２２ａを有する面に形成された複数の嵌合金具引っ掛け部２２ｂは、該断面Ｔ字型リブ２１ａの頭部に係合される。液晶表示パネルユニット６周辺部の取り付けブラケット２３の先端部分には螺子挿通孔２３ａが穿設され嵌合金具２２の面に当接するよう鈍角に折り曲げられ、螺子３５により嵌合金具２２に螺着される。中空の三角柱の嵌合金具２２の各部の折り曲げ角度、および取り付けブラケット２３の折り曲げ角度は、螺子３５の螺着作業の障害となる構造物を避ける目的に沿って、任意に決定出来る。
【産業上の利用可能性】
【００２１】
本発明の実施形態として、液晶テレビにて説明しているが、これに限らず、背面投射型表示装置や電飾看板などの大型表示面の周辺に額縁状のエスカッションを具備する製品に適用し、好適である。
【図面の簡単な説明】
【００２２】
【図１】図１（ａ）は、本発明の実施例としての液晶テレビの正面図、図１（ｂ）は液晶テレビの天面図、図１（ｃ）は、液晶表示パネルユニットの斜視図である。
【図２】本発明の実施例に係る押し出し成型フレームを構成する断面Ｔ字型リブを具備するフレーム部材の斜視図である。
【図３】図３（ａ）は図２に示すフレーム部材、および嵌合金具の斜視図を、図３（ｂ）は嵌合金具をフレーム部材に嵌合した状態を示す斜視図である。
【図４】図１中に鎖線Ａ−Ａで示す切断線に沿って切断した縦断面図である。
【図５】従来例によるフレーム部材への液晶パネルの取り付け構造を示し、図５（ａ）は縦断面図、図５（ｂ）は図５（ａ）中の切断線Ｃ−Ｃに沿って切断した横断面図である。
【符号の説明】
【００２３】
１：  液晶テレビ
２：  液晶表示パネル保持金具
３：  スピーカユニット
４：  スタンド
５：  液晶表示パネル
６：  液晶表示パネルユニット
１１：  押し出し成型フレーム
１１ａ：  断面Ｔ字型リブ
１１ｂ：  フレーム部材
１１ｃ：  フレーム部材当接部
１２：  嵌合金具
１２ａ：  スリット開口部
１２ｂ：  嵌合金具引っ掛け部
１２ｃ：  第１の螺子孔
１２ｄ：  第２の螺子孔
１３：  Ｌ字型取り付けブラケット
１３ａ：  螺子挿通孔
２１：  押し出し成型フレーム
２１ａ：  断面Ｔ字型リブ
２１ｂ：  フレーム部材
２２：  嵌合金具
２２ａ：  スリット開口部
２２ｂ：  嵌合金具引っ掛け部
２２ｃ：  螺子孔
２３：  取り付けブラケット
２３ａ：  螺子挿通孔
３１：  フレーム部材
３２：  第１のリブ
３３：  第２のリブ
３４：  溝部
３５：  セルフタッピング螺子
３５ｂ：  螺子軸部
３６：  液晶表示パネルユニット取り付けタブ
３６ａ：  螺子挿通孔
【図１】
2006343439.tif 000003
【図２】
2006343439.tif 000004
【図３】
2006343439.tif 000005
【図４】
2006343439.tif 000006
【図５】
2006343439.tif 000007